(57)【要約】  シューソールは、前後方向に延びる縦溝と、縦溝の第１部から内足部の縁に向かって、斜め後方に延びる第１屈曲溝と、縦溝の第１部よりも前方の第２部から外足部の他方の縁に向かって、斜め前方に延びる前方の第２屈曲溝とを備え、第１屈曲溝と縦溝とがなす第１角は鈍角に設定され、第２屈曲溝と縦溝とがなす第２角は鈍角に設定されている。
2018193489.tif 000002
【特許請求の範囲】
【請求項１】
シューソールであって、
内足部Ｍおよび外足部Ｌと、
内足部Ｍの縁Ｍｅと外足部Ｌの縁Ｌｅとの間において前後方向Ｙに延びる縦溝１０と、
前記縦溝１０の第１部１１から前記内足部Ｍおよび外足部Ｌの前記縁のうちの一方の前記縁に向かって、かつ、斜め後方に向かって延びる後方Ｙ２の第１屈曲溝２１と、
前記縦溝１０の前記第１部１１よりも前方の第２部１２から前記第１屈曲溝２１よりも前方Ｙ１において、前記内足部Ｍおよび外足部Ｌの前記縁のうちの他方の前記縁に向かって、かつ、斜め前方に向かって延びる前方Ｙ１の第２屈曲溝２２とを備え、
前記第１屈曲溝２１と前記縦溝１０とがなす第１角αは鈍角に設定され、
前記第２屈曲溝２２と前記縦溝１０とがなす第２角βは鈍角に設定されている。
【請求項２】
請求項１において、
前記第１屈曲溝２１を前記内足部Ｍおよび外足部Ｌのうちの前記他方に向かって延長した仮想の第１エリア１Ａには、前記第１屈曲溝２１よりも屈曲しにくい第１阻害部３１が設けられ、
前記第２屈曲溝２２を前記内足部Ｍおよび外足部Ｌのうちの前記一方に向かって延長した仮想の第２エリア２Ａには、前記第２屈曲溝２２よりも屈曲しにくい第２阻害部３２が設けられている。
【請求項３】
請求項２において、
前記第１阻害部３１は第１補助溝３１Ｇまたは第１凹凸部３１Ｃを包含し、
前記第２阻害部３２は第２補助溝３２Ｇまたは第２凹凸部３２Ｃを包含する。
【請求項４】
請求項３において、
前記シューソールは接地面３ｆを有するアウトソール３と前記アウトソール３の上に配置されたミッドソール４とを有し、
前記縦溝１０、前記第１屈曲溝２１および第２屈曲溝２２は前記ミッドソール４に形成され、
前記第１エリア１Ａの前記第１補助溝３１Ｇまたは第１凹凸部３１Ｃは前記アウトソール３に形成されており、
前記第２エリア２Ａの前記第２補助溝３２Ｇまたは第２凹凸部３２Ｃは前記アウトソール３に形成されている。
【請求項５】
請求項１〜４のいずれか１項において、
前記第１および第２屈曲溝２１，２２の各天面２０は前記縦溝１０から前記内足部Ｍまたは外足部Ｌの縁Ｍｅ，Ｌｅ向かって下る下方傾斜を有する。
【請求項６】
請求項１〜５のいずれか１項において、
前記縦溝１０から前記内足部Ｍおよび／または外足部Ｌの縁Ｍｅ，Ｌｅに至るまで前記第１および／または第２屈曲溝２１，２２が延びており、前記第１および／または第２屈曲溝２１，２２の端部において、前記内足部Ｍおよび／または外足部Ｌの側面に上下に延びる切欠きＮが設けられている。
【請求項７】
シューソールであって、
内足部Ｍおよび外足部Ｌと、
内足部Ｍの縁Ｍｅと外足部Ｌの縁Ｌｅとの間において前後方向Ｙに延びる縦溝１０と、
前記縦溝１０の第１部１１から前記内足部Ｍの縁Ｍｅに向かって、かつ、第１中足骨Ｂ１の下方を通るように斜め後方に向かって延びる後方Ｙ２の第１屈曲溝２１と、
前記縦溝１０の前記第１部１１よりも前方Ｙ１の第２部１２から前記第１屈曲溝２１よりも前方Ｙ１において、前記外足部Ｌの縁Ｌｅに向かって、かつ、第５趾Ｂ５の先端よりも前方Ｙ１を通るように斜め前方に向かって延びる前方Ｙ１の第２屈曲溝２２とを備え、
前記第１屈曲溝２１と前記縦溝１０とがなす第１角αは鈍角に設定され、
前記第２屈曲溝２２と前記縦溝１０とがなす第２角βは鈍角に設定されている。
【請求項８】
請求項７において、
前記第１屈曲溝２１を前記外足部Ｌに向かって延長した仮想の第１エリア１Ａには、前記第１屈曲溝２１よりも屈曲しにくい第１阻害部３１が設けられ、
前記第２屈曲溝２２を前記内足部Ｍに向かって延長した仮想の第２エリア２Ａには、前記第２屈曲溝２２よりも屈曲しにくい第２阻害部３２が設けられている。
【請求項９】
請求項８において、
前記第１阻害部３１は第１補助溝３１Ｇまたは第１凹凸部３１Ｃを包含し、
前記第２阻害部３２は第２補助溝３２Ｇまたは第２凹凸部３２Ｃを包含する。
【請求項１０】
請求項９において、
前記シューソールは接地面３ｆを有するアウトソール３と前記アウトソール３の上に配置されたミッドソール４とを有し、
前記縦溝１０、前記第１屈曲溝２１および第２屈曲溝２２は前記ミッドソール４に形成され、
前記第１エリア１Ａの前記第１補助溝３１Ｇまたは第１凹凸部３１Ｃは前記アウトソール３に形成されており、
前記第２エリア２Ａの前記第２補助溝３２Ｇまたは第２凹凸部３２Ｃは前記アウトソール３に形成されている。
【請求項１１】
請求項７〜１０のいずれか１項において、
前記第１および第２屈曲溝２１，２２の各天面２０は前記縦溝１０から前記内足部Ｍまたは外足部Ｌの縁Ｍｅ，Ｌｅに向かって下る下方傾斜を有する。
【請求項１２】
請求項７〜１１のいずれか１項において、
前記縦溝１０から前記内足部Ｍおよび／または外足部Ｌの縁Ｍｅ，Ｌｅに至るまで前記第１および／または第２屈曲溝２１，２２が延びており、前記第１および／または第２屈曲溝２１，２２の端部において、前記内足部Ｍおよび／または外足部Ｌの側面に上下に延びる切欠きＮが設けられている。
【請求項１３】
シューソールであって、
内足部Ｍおよび外足部Ｌと、
内足部Ｍの縁Ｍｅと外足部Ｌの縁Ｌｅとの間において前後方向Ｙに延びる縦溝１０と、
前記縦溝１０の第１部１１から前記外足部Ｌの縁Ｌｅに向かって、かつ、立方骨Ｂｃの下方を通るように斜め後方に向かって延びる後方Ｙ２の第１屈曲溝２１と、
前記縦溝１０の前記第１部１１よりも前方Ｙ１の第２部１２から前記第１屈曲溝２１よりも前方Ｙ１において、前記内足部Ｍの縁Ｍｅに向かって、かつ、第１中足骨Ｂ１の下方を通るように斜め前方に向かって延びる前方Ｙ１の第２屈曲溝２２とを備え、
前記第１屈曲溝２１と前記縦溝１０とがなす第１角αは鈍角に設定され、
前記第２屈曲溝２２と前記縦溝１０とがなす第２角βは鈍角に設定されている。
【請求項１４】
請求項１３において、
前記第１屈曲溝２１を前記内足部Ｍに向かって延長した仮想の第１エリア１Ａには、前記第１屈曲溝２１よりも屈曲しにくい第１阻害部３１が設けられ、
前記第２屈曲溝２２を前記外足部Ｌに向かって延長した仮想の第２エリア２Ａには、前記第２屈曲溝２２よりも屈曲しにくい第２阻害部３２が設けられている。
【請求項１５】
請求項１４において、
前記第１阻害部３１は第１補助溝３１Ｇまたは第１凹凸部３１Ｃを包含し、
前記第２阻害部３２は第２補助溝３２Ｇまたは第２凹凸部３２Ｃを包含する。
【請求項１６】
請求項１５において、
前記シューソールは接地面３ｆを有するアウトソール３と前記アウトソール３の上に配置されたミッドソール４とを有し、
前記縦溝１０、前記第１屈曲溝２１および第２屈曲溝２２は前記ミッドソール４に形成され、
前記第１エリア１Ａの前記第１補助溝３１Ｇまたは第１凹凸部３１Ｃは前記アウトソール３に形成されており、
前記第２エリア２Ａの前記第２補助溝３２Ｇまたは第２凹凸部３２Ｃは前記アウトソール３に形成されている。
【請求項１７】
請求項１３〜１６のいずれか１項において、
前記第１および第２屈曲溝２１，２２の各天面２０は前記縦溝１０から前記内足部Ｍまたは外足部Ｌの縁Ｍｅ，Ｌｅに向かって下る下方傾斜を有する。
【請求項１８】
請求項１３〜１７のいずれか１項において、
前記縦溝１０から前記内足部Ｍおよび／または外足部Ｌの縁Ｍｅ，Ｌｅに至るまで前記第１および／または第２屈曲溝２１，２２が延びており、前記第１および／または第２屈曲溝２１，２２の端部において、前記内足部Ｍおよび／または外足部Ｌの側面に上下に延びる切欠きＮが設けられている。
【請求項１９】
請求項１〜１８のいずれか１項において、
前記縦溝１０の幅Ｗ１０が前記第１および／または第２屈曲溝２１，２２の幅Ｗ２１，Ｗ２２よりも大きい。
【請求項２０】
請求項１〜１９のいずれか１項において、
前記ミッドソール４の硬度はアスカーＣ硬度計で測定した値が３５°〜７５°となるように設定され、前記アウトソール３の硬度はＪＩＳＡ硬度計で測定した値が５５°〜８０°となるように設定されている。
【請求項２１】
請求項１〜１２のいずれか１項において、
仮想のシューズセンタラインＣＬと前記縦溝１０またはその延長線が前記縦溝１０の前方で交わるか、あるいは、前記ラインＣＬと前記縦溝１０とが互いに平行であることを特徴とする。
【請求項２２】
請求項１〜２１のいずれか１項において、
前記縦溝１０は少なくともアウトソール３に形成され、前記縦溝１０の後方において前記アウトソール３に後縦溝１０Ｂが形成され、前記２つの縦溝１０，１０Ｂが互いに前後方向に連なっている。
【発明の詳細な説明】
【技術分野】
【０００１】
本発明は足裏の動きに追従し易いシューソールの構造に関する。
【背景技術】
【０００２】
ランニングやウォーキング等の前方移動を伴う靴において、足の本来の動きを実現するために、足の関節に対応した屈曲溝を設けたシューソールは一般的である。また、近年、走行効率を高めるために靴の縦方向に延びている縦溝が設けられたシューソールも開発されている。
【先行技術文献】
【特許文献】
【０００３】
【特許文献１】ＷＯ２０１７／０１３７０２  Ａ１（フロントページ）
【特許文献２】ＪＰ２０１６−２０９４８２  Ａ（フロントページ）
【発明の概要】
【０００４】
前記文献１に開示された発明は、筋力の弱い高齢者等の歩行に適した靴のシューソールに関する。そのため、足の着地から離地までの時間が長く、前記文献１のシューソールはランニングやトレーニングなどの運動には不適かもしれない。
前記文献２はゴルフシューズのソールについて開示している。この文献２の発明は、鋲を装着する硬質のアウトソールを斜めに分断する溝を開示している。この文献２のソールはスイング時の蹴り足の内旋を促進し、スイング時の蹴り足の動作を阻害せず、スムースな体重移動の実現を狙っている。
しかし、この文献２では、アウトソールが鋲を装着する程度に硬質であり、通常の運動靴には適用できない。また、シューズセンタラインに沿った縦溝を開示していない。
【０００５】
一般に、シューソールは足の関節や骨格に応じて設計されている。しかし、着地から離地までの一連の足の動的な変形は十分に考慮されていない。以下、この点について詳述する。ここで、底背屈とは、足幅方向の軸回りの回転を指す。また、内外反は下腿に対する前足部、中足部または後足部の、足長方向の軸回りの回転を指す。
【０００６】
図１５（ａ）は背屈した右足の内側図面である。図１５（ｂ）および（ｃ）は、各々、右足を後方から見た骨格を示す。
【０００７】
図１５（ｂ）は踵骨Ｂｈが正常な状態で前足の第５趾Ｂ５に対し母趾Ｂが上方に向って回転した内反（Ｆｏｒｅ  ｆｏｏｔ  ｉｎｖｅｒｓｉｏｎ）状態を示す。図１５（ｃ）は踵骨Ｂｈが正常な状態で前足の母趾Ｂに対し第５趾Ｂ５が上方に向って回転した外反（Ｆｏｒｅ  ｆｏｏｔ  ｅｖｅｒｓｉｏｎ）の状態を示す。
【０００８】
裸足で走行した際に図１５（ａ）の足の変形は、単純な背屈だけでなく、前記図１５（ｂ）および（ｃ）のような内反や外反を伴う場合が多い。一方、ソールの横断方向または斜め方向に延びる一般的な屈曲溝が形成されたシューソールでは、背屈し易い構造となっている。
【０００９】
しかし、かかるシューソールでは単純な背屈には適合できるものの、内反や外反を伴った背屈時には、足との間にギャップが生じるのは避けられない。すなわち、前記一般的な屈曲溝を持つ靴は背屈が支配的となっており、フットフラットからトウオフまでの一部の区間においてのみ、ソールが足の変形に追従し、残りの区間ではソールが足の変形に追従できない。
【００１０】
特に、足の蹴り出し時に外反方向に発揮される力は、背屈方向の力の１０％程度の大きさである。そのため、前記一般的なソールでは外反方向の変形を妨げ、同変形を誘発することはできないであろう。
【００１１】
他方、ランニングなどの場合、フットフラットからヒールライズに至る過程で中足において内反が生じる。この場合も前記一般的なソールでは内反方向の変形を妨げ、そのため、同変形を誘発することはできないであろう。
【００１２】
したがって、本発明の目的は足の動的な変形に追従し、当該動的な変形を誘発し易いシューソールの構造を提供することである。
【００１３】
ソールに付与したい特性は、局所的な底背屈方向の剛性低下を伴わずに、目的とする内反または外反方向の剛性を低下させることである。
【００１４】
例えば、内反方向の剛性を低下させたい場合、図１３Ｂの二点鎖線で示すように、変形させたい軸Ｓの位置に溝１００を形成する。しかし、この方法では底背屈方向の剛性も同時に低下する。そこで、図１３Ｂのドット模様で示すように、溝２００を二段階に前後にずらすことで、底背屈の局所的な剛性の低下を防ぐことができるだろう。
【００１５】
また、二段階にすることで、屈曲軸Ｓ１となり得る範囲が広くなり、一つの溝２００によって、ある程度多軸の変形に対応することができるようになる。そのため、溝の本数や面積を減らすことができ、底背屈方向の不用意な剛性低下も防ぐことができる。
【００１６】
本発明のシューソールは、内足部Ｍおよび外足部Ｌと、
内足部Ｍの縁Ｍｅと外足部Ｌの縁Ｌｅとの間において前後方向Ｙに延びる縦溝１０と、
前記縦溝１０の第１部１１から前記内足部Ｍおよび外足部Ｌの前記縁のうちの一方の前記縁に向かって、かつ、斜め後方に向かって延びる後方Ｙ２の第１屈曲溝２１と、
前記縦溝１０の前記第１部１１よりも前方の第２部１２から前記第１屈曲溝２１よりも前方Ｙ１において、前記内足部Ｍおよび外足部Ｌの前記縁のうちの他方の前記縁に向かって、かつ、斜め前方に向かって延びる前方Ｙ１の第２屈曲溝２２とを備え、
前記第１屈曲溝２１と前記縦溝１０とがなす第１角αは鈍角に設定され、
前記第２屈曲溝２２と前記縦溝１０とがなす第２角βは鈍角に設定されている。
【００１７】
本発明の場合、内外の一方において斜め後方に延びる第１屈曲溝２１と内外の他方において斜め前方に延びる第２屈曲溝２２とが前後方向Ｙに延びる縦溝１０に連なり、これらの溝はＺ字状または逆Ｚ字状の溝を構成する。そのため、足が背屈する際に足の中足部や前足部が内反または外反するのに伴い、Ｚ字状等の溝に沿ってシューソールが変形し易い。その結果、シューソールが足の前記動的な変形に追従し、当該動的な変形を誘発することが期待できる。
【００１８】
前記第１角αおよび第２角βは鈍角に設定されている。ここで、鈍角とは９０°よりも大きく１８０°よりも小さい角度を意味する。
【００１９】
前記第１角αは鈍角であり、そのため、第１屈曲溝２１に沿って背屈したシューソールは、前記縦溝１０に沿って内反または外反を伴って連続的に背屈を続けることができる。すなわち、第１屈曲溝２１と縦溝１０とが鈍角をなすため、シューソールは第１屈曲溝２１に沿った変形の後、縦溝１０に沿った変形にスムースに移行することが期待される。
【００２０】
前記第２角βは鈍角であり、そのため、縦溝１０に沿って内反または外反したシューソールは前記第２屈曲溝２２に沿って更に背屈を続けることができる。すなわち、縦溝１０と第２屈曲溝２２とが鈍角をなすため、シューソールは縦溝１０に沿った内反または外反の後、第２屈曲溝２２に沿った更なる背屈にスムースに移行することが期待される。
【００２１】
前記角α，βは溝の縁同士のなす角が鈍角であってもよいが、溝の中心線同士のなす角が鈍角であるのが好ましく、これらの両者が鈍角であるのが更に好ましい。
【００２２】
「縁に向かって」とは、縁まで延びていてもよいが、縁まで延びていない場合を含むことを意味する。
前後方向Ｙに延びるとは、前後方向Ｙの成分を含む方向に延びていればよく、したがって、縦溝１０は斜め前後方向に延びていてもよい。
【００２３】
「第１部１１（または第２部１２）から縁に向かって」とは、縦溝１０から第１屈曲溝２１が内外の一方にのみ（第２屈曲溝２２が内外の他方にのみ）延びている場合を含む他、第１屈曲溝２１（第２屈曲溝２２）が他方（一方）に若干突出していてもよいことを意味する。
【００２４】
「内足部Ｍの縁Ｍｅと外足部Ｌの縁Ｌｅとの間において」とは、縦溝１０が内外の中心に配置されていなくてもよいことを意味する。好ましくは、両縁Ｍｅ，Ｌｅの間を３等分した中央の１／３の領域に前記縦溝１０の中心線の一部または前記縦溝１０の一部が配置される。
【図面の簡単な説明】
【００２５】
【図１】図１は本発明の実施例１を示すシューソールの底面図である。
【図２】図２は図１のＩＩ−ＩＩ線断面図である。
【図３】図３Ａおよび図３Ｂは、それぞれ、図１のＩＩＩＡ−ＩＩＩＡ線およびＩＩＩＢ−ＩＩＩＢ線断面図である。
【図４】図４Ａおよび図４Ｂは、それぞれ、同シューソールの内側面図および外側面図である。
【図５】図５は同シューソールと足の骨格との関係を示す底面図である。
【図６】図６は実施例２を示すシューソールの底面図である。
【図７】図７は本発明の実施例３を示すシューソールの底面図である。
【図８】図８Ａおよび図８Ｂは、それぞれ、図７のＶＩＩＩＡ−ＶＩＩＩＡ線およびＶＩＩＩＢ−ＶＩＩＩＢ線断面図である。
【図９】図９は同シューソールと足の骨格との関係を示す底面図である。
【００２６】
【図１０】図１０は本発明の実施例４を示すシューソールの底面図である。
【図１１】図１１は本発明の実施例５を示すシューソールの底面図である。
【図１２】図１２は本発明の実施例６を示すシューソールの内側面図、底面図および外側面図である。
【図１３】図１３Ａは本発明の実施例７を示すシューソールの底面図、図１３Ｂは本発明の原理を説明するための概念図である。
【図１４】図１４Ａは比較例および試験例を示すシューソールの概略底面図、図１４Ｂはシミュレーション結果を示すグラフである。
【図１５】図１５（ａ）は背屈した右足の内側面図、図１５（ｂ）および（ｃ）は、各々、右足を後方から見た骨格を示す背面図である。
【００２７】
図１、図７、図１０および図１１において、アウトソールの部位にはドット模様が付されている。【００２８】
図１および図７において、アウトソールの接地面には小さくて粗いドット模様が付されている。図１において、アウトソールの非接地面で、かつ、薄肉の部位には大きなドット模様が付されている。図１および図７において、接地面の周縁のテーパ面には細かいドット模様が密に付されている。【００２９】
図５、図６および図９において、逆Ｚ字状またはＺ字状の溝の最深部には密なドット模様が付されている。
【発明を実施するための形態】
【００３０】
本発明において、いわゆる前足部に溝を有するシューソールは、内足部Ｍおよび外足部Ｌと、
内足部Ｍの縁Ｍｅと外足部Ｌの縁Ｌｅとの間において前後方向Ｙに延びる縦溝１０と、
前記縦溝１０の第１部１１から前記内足部Ｍの縁Ｍｅに向かって、かつ、第１中足骨Ｂ１の下方を通るように斜め後方に向かって延びる後方Ｙ２の第１屈曲溝２１と、
前記縦溝１０の前記第１部１１よりも前方Ｙ１の第２部１２から前記第１屈曲溝２１よりも前方Ｙ１において、前記外足部Ｌの縁Ｌｅに向かって、かつ、第５趾Ｂ５の先端よりも前方Ｙ１を通るように斜め前方に向かって延びる前方Ｙ１の第２屈曲溝２２とを備え、
前記第１屈曲溝２１と前記縦溝１０とがなす第１角αは鈍角に設定され、
前記第２屈曲溝２２と前記縦溝１０とがなす第２角βは鈍角に設定されている。
【００３１】
例えば、トレーニングやフィットネスの場合などにおいては、背屈しながら、図１５（ｃ）のように、前足部が外反する姿勢が多くなる。前記トレーニング等の場合、第１中足骨の骨頭の後方でシューソールの内足部Ｍが背屈し、この背屈に続く動作として前足部が第１屈曲溝２１から縦溝１０に沿って外反し始め、更に第５趾Ｂ５の先端よりも前方において第２屈曲溝２２に沿って背屈および外反するだろう。
【００３２】
したがって、３つの溝２１，１０，２２は、トレーニング等において、シューソールの前足部が足の前記動的な変形に追従し、当該動的な変形を誘発し易いだろう。
【００３３】
本発明において、いわゆる中足部から前足部にわたって溝を有するシューソールは、内足部Ｍおよび外足部Ｌと、
内足部Ｍの縁Ｍｅと外足部Ｌの縁Ｌｅとの間において前後方向Ｙに延びる縦溝１０と、
前記縦溝１０の第１部１１から前記外足部Ｌの縁Ｌｅに向かって、かつ、立方骨Ｂｃの下方を通るように斜め後方に向かって延びる後方Ｙ２の第１屈曲溝２１と、
前記縦溝１０の前記第１部１１よりも前方Ｙ１の第２部１２から前記第１屈曲溝２１よりも前方Ｙ１において、前記内足部Ｍの縁Ｍｅに向かって、かつ、第１中足骨Ｂ１の下方を通るように斜め前方に向かって延びる前方Ｙ１の第２屈曲溝２２とを備え、
前記第１屈曲溝２１と前記縦溝１０とがなす第１角αは鈍角に設定され、
前記第２屈曲溝２２と前記縦溝１０とがなす第２角βは鈍角に設定されている。
【００３４】
例えば、ランニングの場合、フットフラットからヒールライズに至る過程において、中足部および後足部が内反し次いでＭＰ関節に至るまで内反しながら背屈する挙動を呈する。このランニングのフットフラットにおいて、中足部では足が内側に倒れ込むことなく前方に荷重中心が移動するのが好ましい。
【００３５】
２つの屈曲溝の間の縦溝１０は前記荷重中心が前方へ移動するのを促すだろう。一方、立方骨Ｂｃの下方を通るように斜め後方に向かって延びる後方Ｙ２の前記第１の屈曲溝２１は後足部および中足部が内反するのを促し、第１中足骨Ｂ１の下方を通るように斜め前方に向かって延びる前方Ｙ１の前記第２屈曲溝２２は前足部がＭＰ関節の手前で内反するのを促すだろう。
【００３６】
したがって、３つの溝２１，１０，２２は、ランニング等において、シューソールの中足部から前足部が足の前記動的な変形に追従し、当該動的な変形を誘発し易いだろう。
【００３７】
好ましくは、前記第１屈曲溝２１を前記内足部Ｍおよび外足部Ｌのうちの前記他方に向かって延長した仮想の第１エリア１Ａには、前記第１屈曲溝２１よりも屈曲しにくい第１阻害部３１が設けられ、
前記第２屈曲溝２２を前記内足部Ｍおよび外足部Ｌのうちの前記一方に向かって延長した仮想の第２エリア２Ａには、前記第２屈曲溝２２よりも屈曲しにくい第２阻害部３２が設けられている。
【００３８】
この場合、屈曲溝よりも屈曲しにくい第１および第２阻害部３１，３２は、それぞれ、第１および第２屈曲溝２１，２２に沿ってシューソールの全幅にわたってシューソールが背屈するのを抑制する。これにより、背屈時に内反または外反を促すことができる。
【００３９】
ここで、“屈曲しにくい”とは、第１または第２阻害部の背屈方向の曲げ剛性が第１または第２屈曲溝のそれよりも大きいことを意味する。
【００４０】
好ましくは、前記第１阻害部３１は第１補助溝３１Ｇまたは第１凹凸部３１Ｃを包含し、前記第２阻害部３２は第２補助溝３２Ｇまたは第２凹凸部３２Ｃを包含する。
【００４１】
かかる阻害部３１，３２の補助溝や凹凸部は屈曲溝よりも屈曲しにくいが、屈曲溝２１，２２および縦溝１０においてシューソールがスムースに屈曲する柔軟性をもたらすだろう。
【００４２】
ここで、“凹凸部”とは、一般にソール意匠と呼ばれるもので、アウトソールに形成される凹部または凸部で構成されてもよいことを意味する。
【００４３】
好ましくは、前記シューソールは接地面３ｆを有するアウトソール３と前記アウトソール３の上に配置されたミッドソール４とを有し、
前記縦溝１０、前記第１屈曲溝２１および第２屈曲溝２２は前記ミッドソール４に形成され、
前記第１エリア１Ａの前記第１補助溝３１Ｇまたは第１凹凸部３１Ｃは前記アウトソール３に形成されており、
前記第２エリア２Ａの前記第２補助溝３２Ｇまたは第２凹凸部３２Ｃは前記アウトソール３に形成されている。
【００４４】
この場合、縦溝１０、第１屈曲溝２１および第２屈曲溝２２はミッドソール４に形成されており、これらの溝でアウトソールは前後または内外に本質的に分断されている。そのため、これらの部位の曲げ剛性は小さい。
一方、補助溝３１Ｇ，３２Ｇまたは凹凸部３１Ｃ，３２Ｃはアウトソール３に形成されており、これらの部位にはミッドソールよりも硬質のアウトソールが設けられている。そのため、これらの部位は前記屈曲溝に比べ曲げ剛性が大きい。
【００４５】
好ましくは、前記第１および第２屈曲溝２１，２２の各天面２０は前記縦溝１０から前記内足部Ｍまたは外足部Ｌの縁Ｍｅ，Ｌｅ向かって下る下方傾斜を有する。
この場合、第１及び第２屈曲溝２１，２２は縁の近傍よりも縦溝１０の近傍において深く、そのため、シューソールが３つの溝２１，１０，２２に沿ってスムースに屈曲することが期待できる。
【００４６】
好ましくは、前記縦溝１０から前記内足部Ｍおよび／または外足部Ｌの縁Ｍｅ，Ｌｅに至るまで前記第１および／または第２屈曲溝２１，２２が延びており、前記第１および／または第２屈曲溝２１，２２の端部において、前記内足部Ｍおよび／または外足部Ｌの側面に上下に延びる切欠きＮが設けられている。
これらの切欠きＮにより、前記各屈曲溝においてシューソールが屈曲し易くなる。
【００４７】
好ましくは、前記縦溝１０の幅Ｗ１０が前記第１および／または第２屈曲溝２１，２２の幅Ｗ２１，Ｗ２２よりも大きい。
この場合、縦溝１０と第１または第２屈曲溝２１，２２との屈曲の連続性が高まると共に、縦溝１０による前方への推進力が高まるだろう。
【００４８】
好ましくは、ミッドソール４の硬度はアスカーＣ硬度計で測定した値が３５°〜７５°となるように設定され、前記アウトソール３の硬度はＪＩＳＡ硬度計で測定した値が５５°〜８０°となるように設定されている。
前記ミッドソールの硬度は、アスカーＣ硬度で４０°〜７０°程度がより好ましく、５０°〜６０°程度が最も好ましい。
一方、前記アウトソールの硬度は、ＪＩＳＡ硬度で６０°〜７５°がより好ましく、６５°〜７１°程度が最も好ましい。
このような硬度範囲に設定されたシューソールは、スパイクを有し特定の競技を目的とするスパイクソールとは異なる運動靴に適する。すなわち、シューソールはスパイクや鋲を有していない運動靴（アスレチックシューズ）に適する。
上記のようにソールの硬度が適度に小さい場合、走行や運動中に、シューソールは足の動的な変形に追従し、当該動的な変形を誘発し易いだろう。
【００４９】
好ましくは、仮想のシューズセンタラインＣＬと前記縦溝１０またはその延長線が前記縦溝１０の前方で交わるか、あるいは、前記ラインＣＬと前記縦溝１０とが互いに平行である。
ここで、シューズセンタラインとはシューソールまたは靴の先端Ｏ１と後端Ｏ２とを結んだ線を意味する。
このような位置関係に配置された縦溝１０はシューズセンタラインやアウトソールの外足縁に沿った前方への推進力を高めるだろう。
また、シューズセンタラインやアウトソールの外足縁に沿った軸まわりの捩れ剛性が低下し、内足部と外足部とが相対回転し易くなるだろう。すなわち、目的とする内反または外反方向の剛性を低下させるのが容易になるであろう。
【００５０】
好ましくは、縦溝１０は少なくともアウトソール３に形成され、前記縦溝１０の後方において前記アウトソール３に後縦溝１０Ｂが形成され、前記２つの縦溝１０，１０Ｂが互いに前後方向に連なっている。
このように縦溝１０と後縦溝１０Ｂとが互いに連なっている場合、剛性の大きいアウトソールが内外に分断される。そのため、両縦溝は前方への推進力を高めるだろう。
また、シューソールが両縦溝の回りに捩じれ易く、所期の内反や外反の効果を得易いだろう。
【００５１】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００５２】
本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００５３】
以下、本発明の実施例１が図１〜図５にしたがって説明される。
本実施例は例えばトレーニング用の左足用の靴の靴底である。
図１および図２に示すシューソールはゴム製のアウトソール３と樹脂製のミッドソール４とを備える。シューソールの上には図示しない足の甲を包むアッパーが設けられる。【００５４】
ミッドソール４はアウトソール３の上に配置され、例えばＥＶＡのような樹脂製の発泡体からなるミッドソール本体を備え、更に、強化装置や緩衝パーツを備えていてもよい。「樹脂製」とは、熱可塑性等の樹脂成分を有するという意味で、任意の適宜の他の成分を含む。【００５５】
図２のアウトソール３は接地面３ｆを有し、前記ミッドソール本体の発泡体よりも耐摩耗性の大きい接地底で、一般に、ミッドソール本体の発泡体よりもヤング率が大きく、一般に硬質である。なお、「ゴム製」とは天然ゴムや合成ゴムの成分を有するという意味で、任意の他の成分を含む。【００５６】
図３Ａおよび図３Ｂにおいて、本実施例のミッドソール４および図示しないインソールは足裏の概ね全面を覆う。一方、図１および図２に示すように、アウトソール３はミッドソール４の下面に付着され足裏を部分的に覆う。【００５７】
図１に明示するように、シューソールの接地面側には、前縦溝１０，第１屈曲溝２１, 第２屈曲溝２２，第３屈曲溝２３および後縦溝１０Ｂが形成されている。【００５８】
図１において、前記前縦溝１０および後縦溝１０Ｂは、内足部Ｍと外足部Ｌとの中間において前後方向Ｙに延びる。本例の場合、図２の前縦溝１０の後端と後縦溝１０Ｂの前端とは、突部を介して連なっているが、滑らかに連なっていてもよい。【００５９】
図１の第１屈曲溝２１は第２屈曲溝２２よりも後方Ｙ２に配置されている。前記第１屈曲溝２１は前記前縦溝１０の第１部１１から前記内足部Ｍの縁Ｍｅに向かって、かつ、図５の第１中足骨Ｂ１の下方を通るように斜め後方に向かって延びている。本例の場合、図１の第１屈曲溝２１は第１部１１から前記内足部Ｍの縁Ｍｅまで延びている。【００６０】
図５の前記第１屈曲溝２１は第１中足骨Ｂ１の骨頭Ｂ１１または骨体Ｂ１２の下方を通るように配置されていてもよい。【００６１】
なお、骨底とは各骨における後方の関節に近い部位で若干太く膨らんだ部位をいい、近位骨頭とも呼ばれている。一方、骨頭とは各骨における前方の関節に近い部位で若干太く膨らんだ部位をいい、遠位骨頭とも呼ばれている。また、骨体とは前記骨底と骨頭との間の部位をいい、一般に滑らかに太さが変化している。【００６２】
図１において、第２屈曲溝２２は前記前縦溝１０の前記第１部１１よりも前方Ｙ１の第２部１２から前記第１屈曲溝２１よりも前方Ｙ１において、前記外足部Ｌの縁Ｌｅに向かって延びる。また、図５の第２屈曲溝２２は第４趾Ｂ４および第５趾Ｂ５の先端よりも前方Ｙ１を通るように斜め前方に向かって延びる。本例の場合、第１屈曲溝２１は第２部１２から外足部Ｌの縁Ｌｅまで延びている。したがって、前記前縦溝１０、第１および第２屈曲溝２１，２２は、前足部を逆Ｚ字状にジグザグに横切っている。【００６３】
図１において、前記第１屈曲溝２１と前記前縦溝１０とがなす第１角αは鈍角に設定されている。また、前記第２屈曲溝２２と前記前縦溝１０とがなす第２角βも鈍角に設定されている。なお、本例の場合、第１および第２角α，βは各溝１０，２１，２２の中心線間の角度である。【００６４】
図１の前記第３屈曲溝２３は前記後縦溝１０Ｂから外足部Ｌの縁Ｌｅに向かって、かつ、図５の第４および第５趾Ｂ４，Ｂ５の中足骨の下方を通るように、かつ、ＭＰ関節ＭＰに沿うように、斜め後方に向かって延びている。これにより、ＭＰ関節ＭＰにおける足の適度の屈曲が促される。【００６５】
図５のドット模様で示す部位は、前記前縦溝１０、第１および第２屈曲溝２１，２２の最深部である。この最深部は各溝の延びる方向に直交する横断面における最も深い部分である。なお、各溝が延びる方向に沿った谷線がある場合、最深部は谷線に沿って延びる。【００６６】
図５において、第１屈曲溝２１と前記前縦溝１０の最深部２１ｄ，１０ｄ同士は前記第１部１１において弧を描くように滑らかに連なっている。また、第２屈曲溝２２と前記前縦溝１０の最深部２２ｄ，１０ｄ同士は前記第１部１２において弧を描くように滑らかに連なっている。これにより、第１および第２屈曲溝２１，２２に沿った前足のスムースな外反の動作が期待できる。【００６７】
図１の第１屈曲溝２１は第１阻害部３１に向かって若干延びていてもよい。また、第２屈曲溝２２は第２阻害部３２に向かって若干延びていてもよい。【００６８】
前記第１屈曲溝２１を前記外足部Ｌに向かって延長した仮想の第１エリア１Ａには、前記第１屈曲溝２１よりも屈曲しにくい前記第１阻害部３１が設けられている。一方、前記第２屈曲溝２２を前記内足部Ｍに向かって延長した仮想の第２エリア２Ａには、前記第２屈曲溝２２よりも屈曲しにくい前記第２阻害部３２が設けられている。【００６９】
ここで、“屈曲しにくい”とは背屈に対する曲げ剛性ＥＩｚの値が大きいことを意味する。この剛性ＥＩｚの大小の比較は、第１屈曲溝２１，第２屈曲溝２２，第１阻害部３１または第２阻害部３２を含むように内足部Ｍおよび外足部Ｌの一部を前記前縦溝１０に平行状に、かつ、短冊状に切り取り、曲げ試験を行うことにより容易に知ることができるであろう。
また、シューソールの背屈に対する曲げ剛性ＥＬｚの値を大きくする手段としては、アウトソールおよび／またはミッドソールの硬度、厚み等を調整することが挙げられる。【００７０】
本例の場合、前記第１阻害部３１は前記第１屈曲溝２１の最深部２１ｄ（図５）の平均深さよりも浅い第１補助溝３１Ｇを包含する。また、前記第２阻害部３２は第２屈曲溝２２の最深部２２ｄ（図５）の平均深さよりも浅い第２補助溝３２Ｇを包含する。【００７１】
図１において、前記縦溝１０，１０Ｂ、前記第１屈曲溝２１、第２屈曲溝２２および第３屈曲溝２３は前記ミッドソール４に形成されている。すなわち、これらの溝１０，１０Ｂ、２１〜２３によってアウトソール３は前後または内外に分離されている。【００７２】
前記第１エリア１Ａの前記第１補助溝３１Ｇは、その一部が前記アウトソール３に形成されており、他部がミッドソール４に形成されている。また、前記第２エリア２Ａの前記第２補助溝３２Ｇは、その一部が前記アウトソール３に形成されており、他部がミッドソール４に形成されている。【００７３】
図３Ａおよび図３Ｂにおいて、前記第１および第２屈曲溝２１，２２の各天面２０は前記前縦溝１０（図１）から前記内足部Ｍまたは外足部Ｌの縁Ｍｅ，Ｌｅに向かって下る下方傾斜を有する。すなわち、各屈曲溝２１，２２は内足部Ｍまたは外足部Ｌの縁Ｍｅ，Ｌｅに向かって浅くなるように形成されている。
図１の前記前縦溝１０から前記内足部Ｍまたは外足部Ｌの縁Ｍｅ，Ｌｅに至るまで前記第１または第２屈曲溝２１，２２が延びている。前記第１および第２屈曲溝２１，２２の端部において、図３Ａ〜図４Ｂに示すように、前記内足部Ｍおよび外足部Ｌの側面に上下に延びる切欠きＮが設けられている。【００７４】
本例において、図１等の前記ミッドソール４の硬度はアスカーＣ硬度計で測定した値が４５°〜６５°となるように設定され、前記アウトソール３の硬度はＪＩＳＡ硬度計で測定した値が６３°〜７３°となるように設定されていてもよい。
図１等において、ＣＬは仮想のシューズセンタラインを示す。
このラインＣＬはシューソールまたは靴の先端Ｏ１と後端Ｏ２とを結んだ直線である。
仮想のシューズセンタラインＣＬと前記縦溝１０またはその延長線が前記縦溝１０の前方で交わるように設定されているが、前記ラインＣＬと前記縦溝１０とが互いに平行であってもよい。たとえば、前記縦溝１０は外足部の縁Ｌｅに沿って平行的に設けられていてもよく、あるいは、前記ラインＣＬに沿って平行的に設けられていてもよく、あるいは、これらの間の角度で配置されていてもよい。
前記縦溝１０は少なくともアウトソール３に形成され、つまり分断されたアウトソール３，３の間に形成され、前記縦溝１０の後方において前記アウトソール３に後縦溝１０Ｂが形成され、前記２つの縦溝１０，１０Ｂが互いに前後方向に連なっている。【００７５】
図６は実施例２を示す。
本例は図１〜図５の実施例１と同様に前足部に逆Ｚ字状の溝が設けられている。本例の説明については前記実施例１と異なる部分について主に説明する。【００７６】
本例の場合、前記前縦溝１０の幅Ｗ１０は第１屈曲溝２１の幅Ｗ２１および第２屈曲溝２２の幅Ｗ２２よりも大きい。第１屈曲溝２１は縦溝１０から内足部Ｍの縁Ｍｅに向かって延びているが、内足部Ｍの縁Ｍｅまで延びていない。【００７７】
第１阻害部３１は第１補助溝３１Ｇおよび第１凹凸部３１Ｃを含む。一方、第２阻害部３２は第２補助溝３２Ｇおよび第２凹凸部３２Ｃを含む。
なお、第１屈曲溝２１の最深部２１ｄの天面は、第１凹凸部３１Ｃおよび第１補助溝３１Ｇよりも路面から離れた高い位置に設定されている。また、第２屈曲溝２２の最深部２２ｄの天面は、第１凹凸部３２Ｃおよび第１補助溝３２Ｇよりも路面から離れた高い位置に設定されている。【００７８】
図７〜図９は実施例３を示す。
本例は前足部から中足部にわたって、Ｚ字状の溝が設けられている。この例はランニングに適している。【００７９】
前記前足部、中足部および後足部とは、それぞれ、足の前足中足および後足を覆う部位を意味する。前記前足は５本の中足骨と１４個の趾骨からなる。前記中足は舟状骨、立方骨および３個の楔状骨からなる。前記後足は距骨および踵骨からなる。【００８０】
図７および図９に明示するように、シューソールの接地面側には、縦溝１０、第１屈曲溝２１、第２屈曲溝２２、第３屈曲溝２３および第４屈曲溝２４が形成されている。【００８１】
図７の縦溝１０は内足部Ｍの縁Ｍｅと外足部Ｌの縁Ｌｅとの間において前後方向Ｙに延びる。本例の場合、縦溝１０は前足部から後足部まで連なっている。【００８２】
後方Ｙ２の第１屈曲溝２１は前記縦溝１０の第１部１１から前記外足部Ｌの縁Ｌｅに向かって、かつ、図９の立方骨Ｂｃの下方を通るように斜め後方に向かって延びる。【００８３】
図７の前方Ｙ１の第２屈曲溝２２は前記縦溝１０の前記第１部１１よりも前方Ｙ１の第２部１２から前記第１屈曲溝２１よりも前方Ｙ１において、前記内足部Ｍの縁Ｍｅに向かって、かつ、図９の第１中足骨Ｂ１の下方を通るように斜め前方に向かって延びる。【００８４】
こうして、縦溝１０、第１および第２屈曲溝２１，２２は中足部をＺ字状にジグザグに横切っている。【００８５】
図７において、前記第１屈曲溝２１と前記縦溝１０とがなす第１角αは鈍角に設定されている。前記第２屈曲溝２２と前記縦溝１０とがなす第２角βは鈍角に設定されている。【００８６】
図９において、前記第３屈曲溝２３は前記縦溝１０から外足部Ｌの外足の縁Ｌｅに向かって、かつ、第４および第５中足骨Ｂ４，Ｂ５の下方を通るように、かつ、ＭＰ関節に沿うように、斜め後方に向かって延びている。これにより、ＭＰ関節における足の適度の屈曲が促される。【００８７】
前記第４屈曲溝２４は縦溝１０と交差し、第３屈曲溝２３よりも前方において、シューソールを横断する。前記第４屈曲溝２４は（近位）趾節間関節Ｊに沿って配置されてもよい。【００８８】
図７において、前記第１屈曲溝２１を前記内足部Ｍに向かって延長した仮想の第１エリア１Ａには、前記第１屈曲溝２１よりも屈曲しにくい第１阻害部３１が設けられている。一方、前記第２屈曲溝２２を前記外足部Ｌに向かって延長した仮想の第２エリア２Ａには、前記第２屈曲溝２２よりも屈曲しにくい第２阻害部３２が設けられている。【００８９】
図７において、前記第１阻害部３１は第１凹凸部３１Ｃを包含する。前記第２阻害部３２は第２凹凸部３２Ｃを包含する。
なお、図７において、粗いドット模様を付した部位には、図６のような凹凸が形成されていてもよい。【００９０】
図７の前記縦溝１０、前記第１屈曲溝２１および第２屈曲溝２２は前記ミッドソール４に形成されている。前記第１エリア１Ａの第１凹凸部３１Ｃは前記アウトソール３に形成されている。前記第２エリア２Ａの第２凹凸部３２Ｃは前記アウトソール３に形成されている。【００９１】
図８Ａおよび図８Ｂにおいて、前記第１および第２屈曲溝２１，２２の各天面２０は前記縦溝１０から前記内足部Ｍまたは外足部Ｌの縁Ｍｅ，Ｌｅに向かって下る下方傾斜を有する。【００９２】
図７の前記縦溝１０から前記内足部Ｍまたは外足部Ｌの縁Ｍｅ，Ｌｅに至るまで前記第１または第２屈曲溝２１，２２が延びている。前記第１および第２屈曲溝２１，２２の端部において、図８Ａおよび図８Ｂの前記内足部Ｍまたは外足部Ｌの側面に上下に延びる切欠きＮが設けられている。【００９３】
なお、本例において、中足部のＺ字状溝に加え、前足部に図１の逆Ｚ字状の溝を付加してもよい。【００９４】
図７および図９の前記中足部のＺ字状の溝のうちの縦溝１０は、図１の前記前足部の逆Ｚ字状の溝の縦溝１０とは異なる傾きであってもよい。
例えば、図７において、中足部のＺ字状の溝のうちの縦溝１０は前記シューズセンタラインＣＬと平行的に設けられていてもよいし、あるいは、前記縦溝１０と前記ラインＣＬとが後方に向かって末窄まりとなる配置であってもよい。【００９５】
図１０および図１１はそれぞれ実施例４および５を示す。これらの例は左足用のシューソールの前足部に逆Ｚ字状の溝を設けた実施例１の変形例である。
図１０の例のように、第１屈曲溝２１は縦溝１０の第１部１１から内足部Ｍの縁Ｍｅまで延びずに、内足部Ｍの途中まで延びていてもよい。【００９６】
図１１の例のように、第１および（または）第２屈曲溝２１，２２は縦溝１０から縁Ｍｅ，Ｌｅに向かって末窄まりのテーパ状であってもよい。このような場合、前記第１および第２角α，βは各溝１０，２１，２２の縁と縁とがなす角であってもよい。【００９７】
図１２は実施例６を示す。
本例の場合、シューソールは中足部にＺ字状の溝を有し、前足部に逆Ｚ字状の溝を有する。【００９８】
本例の場合、前縦溝１０の幅Ｗ１０は、それに連なる第１および第２屈曲溝２１，２２の平均的な幅Ｗ２１，Ｗ２２よりも大きい。また、後縦溝１０Ｂの幅Ｗ１０は、それに連なる第１および第２屈曲溝２１，２２の平均的な幅Ｗ２１，Ｗ２２よりも大きい。【００９９】
各屈曲溝２１，２２は内外の縁Ｍｅ，Ｌｅまで延びていなくてもよい。また、各屈曲溝２１，２２の先端の近傍には、前記縁Ｍｅ，Ｌｅに複数の切り欠きＮが設けられていてもよい。【０１００】
図１３Ａは実施例７を示す。
本例は中足部に逆Ｚ字状の溝を有する。【０１０１】
本例の逆Ｚ字状の溝は中足部の外反を抑制するだろう。そのため、コート競技に適するだろう。【０１０２】
つぎに、本発明の効果を明瞭にするために試験例（ｔｅｓｔ  ｅｘ．）および比較例（Ｃｏｍｐ．）を示す。【０１０３】
これらの例は図１４Ａに示すソールのモデルを用いて、各ソールの変形状態についてシミュレーションを行った。シミュレーションに用いた荷重分布は、足部に内反方向の変形が生じる６０％スタンスフェーズ（Ｓｔａｎｃｅ  ｐｈａｓｅ）における実走行データを用いた。解析手法は固有値解析とした。解析結果を図１４Ｂに示す。【０１０４】
Ｃｏｍｐ．１〜４とｔｅｓｔ  ｅｘ．１，２を比較すると、ｔｅｓｔ  ｅｘ．の場合、底背屈方向の剛性（Ｄｏｒｓｉｆｌｅｘｉｏｎ）が大きく低下することなく、内反または外反方向の剛性（Ｉｎｖｅｒｓｉｏｎ／Ｅｖｅｒｓｉｏｎ）を小さくできることが分かる。【０１０５】
また、Ｃｏｍｐ．４とｔｅｓｔ  ｅｘ．１との比較から、縦溝だけでは内反または外反方向の剛性（Ｉｎｖｅｒｓｉｏｎ／Ｅｖｅｒｓｉｏｎ）を十分に小さくできず、第１および第２屈曲溝を縦溝に連ねることで、同剛性を小さくすることができることが分かる。【０１０６】
また、ｔｅｓｔ  ｅｘ．２のように縁部にノッチを有することで、同剛性が更に小さくなることが分かる。【０１０７】
以上のとおり、図面を参照しながら好適な実施例を説明したが、当業者であれば、本明細書を見て、自明な範囲内で種々の変更および修正を容易に想定するであろう。
たとえば、ミッドソールにはゲルや鞘様の緩衝パーツが設けられていてもよい。また、溝はアウトソールのみで形成されていてもよい。
また、シューソールはアウトソールおよびミッドソールを有していてもよく、ミッドソールのみを有していてもよい。
したがって、そのような変更および修正は、本発明の範囲内のものと解釈される。
【産業上の利用可能性】
【０１０８】
本発明はランニング、トレーニング、フィットネス、コート競技など種々の運動靴に適用できる。
【符号の説明】
【０１０９】
１Ａ：第１エリア  ２Ａ：第２エリア
１０：（前）縦溝  １０Ｂ：後縦溝  １１：第１部  １２：第２部  １０ｄ：最深部
２１：第１屈曲溝  ２２：第２屈曲溝  ２１ｄ，２２ｄ：最深部  
２０：天面  ２３：第３屈曲溝  ２４：第４屈曲溝
３：アウトソール  ３ｆ：接地面  ３１：第１阻害部  ３２：第２阻害部
３１Ｇ：第１補助溝  ３２Ｇ：第２補助溝
３１Ｃ：第１凹凸部  ３２Ｃ：第２凹凸部
４：ミッドソール
Ｂ：母趾  Ｂ１：第１中足骨  Ｂ４：第４趾  Ｂ５：第５趾  Ｂｃ：立方骨
Ｌ：外足部  Ｌｅ：外足部の縁
Ｍ：内足部  Ｍｅ：内足部の縁
Ｎ： 切り欠き
Ｙ：前後方向  Ｙ１：前方  Ｙ２：後方
Ｗ１０，Ｗ２１，Ｗ２２：幅
【図１】
2018193489.tif 000003
【図２】
2018193489.tif 000004
【図３】
2018193489.tif 000005
【図４】
2018193489.tif 000006
【図５】
2018193489.tif 000007
【図６】
2018193489.tif 000008
【図７】
2018193489.tif 000009
【図８】
2018193489.tif 000010
【図９】
2018193489.tif 000011
【図１０】
2018193489.tif 000012
【図１１】
2018193489.tif 000013
【図１２】
2018193489.tif 000014
【図１３】
2018193489.tif 000015
【図１４】
2018193489.tif 000016
【図１５】
2018193489.tif 000017
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
シューソールであって、内足部Ｍおよび外足部Ｌと、
内足部Ｍの縁Ｍｅと外足部Ｌの縁Ｌｅとの間において前後方向Ｙに延びる縦溝１０と、
前記縦溝１０の第１部１１から前記内足部Ｍおよび外足部Ｌの前記縁のうちの一方の前記縁に向かって、かつ、斜め後方に向かって延びる後方Ｙ２の第１屈曲溝２１と、
前記縦溝１０の前記第１部１１よりも前方の第２部１２から前記第１屈曲溝２１よりも前方Ｙ１において、前記内足部Ｍおよび外足部Ｌの前記縁のうちの他方の前記縁に向かって、かつ、斜め前方に向かって延びる前方Ｙ１の第２屈曲溝２２とを備え、
前記第１屈曲溝２１と前記縦溝１０とがなす第１角αは鈍角に設定され、
前記第２屈曲溝２２と前記縦溝１０とがなす第２角βは鈍角に設定され、
ここにおいて、
前記第１および第２屈曲溝２１，２２の各天面２０は前記縦溝１０から前記内足部Ｍまたは外足部Ｌの縁Ｍｅ，Ｌｅに向かって下る下方傾斜を有する、シューソール。
【請求項２】
請求項１において、両縁Ｍｅ，Ｌｅの間を３等分した中央の１／３の領域に前記縦溝１０の中心線の一部または前記縦溝１０の一部が配置されている、シューソール。
【請求項３】
請求項２において、仮想のシューズセンタラインＣＬと前記縦溝１０またはその延長線が前記縦溝１０の前方で交わるか、あるいは、前記ラインＣＬと前記縦溝１０とが互いに平行であることを特徴とする、シューソール。
【請求項４】
請求項１〜３のいずれか１項において、前記シューソールは接地面３ｆを有するアウトソール３と前記アウトソール３の上に配置されたミッドソール４とを有し、
前記ミッドソール４の硬度はアスカーＣ硬度計で測定した値が３５°〜７５°となるように設定され、前記アウトソール３の硬度はＪＩＳＡ硬度計で測定した値が５５°〜８０°となるように設定されている、シューソール。
【請求項５】
スパイクおよび鋲を有していない運動靴のシューソールであって、内足部Ｍおよび外足部Ｌと、
内足部Ｍの縁Ｍｅと外足部Ｌの縁Ｌｅとの間において前後方向Ｙに延びる縦溝１０と、
前記縦溝１０の第１部１１から前記内足部Ｍおよび外足部Ｌの前記縁のうちの一方の前記縁に向かって、かつ、斜め後方に向かって延びる後方Ｙ２の第１屈曲溝２１と、
前記縦溝１０の前記第１部１１よりも前方の第２部１２から前記第１屈曲溝２１よりも前方Ｙ１において、前記内足部Ｍおよび外足部Ｌの前記縁のうちの他方の前記縁に向かって、かつ、斜め前方に向かって延びる前方Ｙ１の第２屈曲溝２２とを備え、
前記第１屈曲溝２１と前記縦溝１０とがなす第１角αは鈍角に設定され、
前記第２屈曲溝２２と前記縦溝１０とがなす第２角βは鈍角に設定され、
ここにおいて、
前記第１屈曲溝２１を前記内足部Ｍおよび外足部Ｌのうちの前記他方に向かって延長した仮想の第１エリア１Ａには、前記第１屈曲溝２１よりも屈曲しにくい第１阻害部３１が設けられ、
前記第２屈曲溝２２を前記内足部Ｍおよび外足部Ｌのうちの前記一方に向かって延長した仮想の第２エリア２Ａには、前記第２屈曲溝２２よりも屈曲しにくい第２阻害部３２が設けられている、シューソール。
【請求項６】
請求項５において、
前記第１阻害部３１は第１補助溝３１Ｇまたは第１凹凸部３１Ｃを包含し、
前記第２阻害部３２は第２補助溝３２Ｇまたは第２凹凸部３２Ｃを包含する、シューソール。
【請求項７】
請求項６において、前記シューソールは接地面３ｆを有するアウトソール３と前記アウトソール３の上に配置されたミッドソール４とを有し、
前記縦溝１０、前記第１屈曲溝２１および第２屈曲溝２２は前記ミッドソール４に形成され、
前記第１エリア１Ａの前記第１補助溝３１Ｇまたは第１凹凸部３１Ｃは前記アウトソール３に形成されており、
前記第２エリア２Ａの前記第２補助溝３２Ｇまたは第２凹凸部３２Ｃは前記アウトソール３に形成されている、シューソール。
【請求項８】
スパイクおよび鋲を有していない運動靴のシューソールであって、内足部Ｍおよび外足部Ｌと、
内足部Ｍの縁Ｍｅと外足部Ｌの縁Ｌｅとの間において前後方向Ｙに延びる縦溝１０と、
前記縦溝１０の第１部１１から前記内足部Ｍの縁Ｍｅに向かって、かつ、第１中足骨Ｂ１の下方を通るように斜め後方に向かって延びる後方Ｙ２の第１屈曲溝２１と、
前記縦溝１０の前記第１部１１よりも前方Ｙ１の第２部１２から前記第１屈曲溝２１よりも前方Ｙ１において、前記外足部Ｌの縁Ｌｅに向かって、かつ、第５趾Ｂ５の先端よりも前方Ｙ１を通るように斜め前方に向かって延びる前方Ｙ１の第２屈曲溝２２とを備え、
前記第１屈曲溝２１と前記縦溝１０とがなす第１角αは鈍角に設定され、
前記第２屈曲溝２２と前記縦溝１０とがなす第２角βは鈍角に設定され、
ここにおいて、
前記第１屈曲溝２１を前記外足部Ｌに向かって延長した仮想の第１エリア１Ａには、前記第１屈曲溝２１よりも屈曲しにくい第１阻害部３１が設けられ、
前記第２屈曲溝２２を前記内足部Ｍに向かって延長した仮想の第２エリア２Ａには、前記第２屈曲溝２２よりも屈曲しにくい第２阻害部３２が設けられている、シューソール。
【請求項９】
請求項８において、
前記第１阻害部３１は第１補助溝３１Ｇまたは第１凹凸部３１Ｃを包含し、
前記第２阻害部３２は第２補助溝３２Ｇまたは第２凹凸部３２Ｃを包含する、シューソール。
【請求項１０】
請求項９において、前記シューソールは接地面３ｆを有するアウトソール３と前記アウトソール３の上に配置されたミッドソール４とを有し、
前記縦溝１０、前記第１屈曲溝２１および第２屈曲溝２２は前記ミッドソール４に形成され、
前記第１エリア１Ａの前記第１補助溝３１Ｇまたは第１凹凸部３１Ｃは前記アウトソール３に形成されており、
前記第２エリア２Ａの前記第２補助溝３２Ｇまたは第２凹凸部３２Ｃは前記アウトソール３に形成されている、シューソール。
【請求項１１】
スパイクおよび鋲を有していない運動靴のシューソールであって、内足部Ｍおよび外足部Ｌと、
内足部Ｍの縁Ｍｅと外足部Ｌの縁Ｌｅとの間において前後方向Ｙに延びる縦溝１０と、
前記縦溝１０の第１部１１から前記外足部Ｌの縁Ｌｅに向かって、かつ、立方骨Ｂｃの下方を通るように斜め後方に向かって延びる後方Ｙ２の第１屈曲溝２１と、
前記縦溝１０の前記第１部１１よりも前方Ｙ１の第２部１２から前記第１屈曲溝２１よりも前方Ｙ１において、前記内足部Ｍの縁Ｍｅに向かって、かつ、第１中足骨Ｂ１の下方を通るように斜め前方に向かって延びる前方Ｙ１の第２屈曲溝２２とを備え、
前記第１屈曲溝２１と前記縦溝１０とがなす第１角αは鈍角に設定され、
前記第２屈曲溝２２と前記縦溝１０とがなす第２角βは鈍角に設定され、
ここにおいて、
前記第１屈曲溝２１を前記内足部Ｍに向かって延長した仮想の第１エリア１Ａには、前記第１屈曲溝２１よりも屈曲しにくい第１阻害部３１が設けられ、
前記第２屈曲溝２２を前記外足部Ｌに向かって延長した仮想の第２エリア２Ａには、前記第２屈曲溝２２よりも屈曲しにくい第２阻害部３２が設けられている、シューソール。
【請求項１２】
請求項１１において、
前記第１阻害部３１は第１補助溝３１Ｇまたは第１凹凸部３１Ｃを包含し、
前記第２阻害部３２は第２補助溝３２Ｇまたは第２凹凸部３２Ｃを包含する、シューソール。
【請求項１３】
請求項１２において、前記シューソールは接地面３ｆを有するアウトソール３と前記アウトソール３の上に配置されたミッドソール４とを有し、
前記縦溝１０、前記第１屈曲溝２１および第２屈曲溝２２は前記ミッドソール４に形成され、
前記第１エリア１Ａの前記第１補助溝３１Ｇまたは第１凹凸部３１Ｃは前記アウトソール３に形成されており、
前記第２エリア２Ａの前記第２補助溝３２Ｇまたは第２凹凸部３２Ｃは前記アウトソール３に形成されている、シューソール。
【請求項１４】
請求項５〜１３のいずれか１項において、
前記第１および第２屈曲溝２１，２２の各天面２０は前記縦溝１０から前記内足部Ｍまたは外足部Ｌの縁Ｍｅ，Ｌｅに向かって下る下方傾斜を有する、シューソール。
【請求項１５】
請求項１〜１３のいずれか１項において、
前記縦溝１０から前記内足部Ｍおよび／または外足部Ｌの縁Ｍｅ，Ｌｅに至るまで前記第１および／または第２屈曲溝２１，２２が延びており、前記第１および／または第２屈曲溝２１，２２の端部において、前記内足部Ｍおよび／または外足部Ｌの側面に上下に延びる切欠きＮが設けられている、シューソール。
【請求項１６】
請求項１〜１３のいずれか１項において、前記縦溝１０の幅Ｗ１０が前記第１および／または第２屈曲溝２１，２２の幅Ｗ２１，Ｗ２２よりも大きい、シューソール。
【請求項１７】
請求項５〜１３のいずれか１項において、前記シューソールは接地面３ｆを有するアウトソール３と前記アウトソール３の上に配置されたミッドソール４とを有し、
前記ミッドソール４の硬度はアスカーＣ硬度計で測定した値が３５°〜７５°となるように設定され、前記アウトソール３の硬度はＪＩＳＡ硬度計で測定した値が５５°〜８０°となるように設定されている、シューソール。
【請求項１８】
請求項５〜１３のいずれか１項において、仮想のシューズセンタラインＣＬと前記縦溝１０またはその延長線が前記縦溝１０の前方で交わるか、あるいは、前記ラインＣＬと前記縦溝１０とが互いに平行であることを特徴とする、シューソール。
【請求項１９】
請求項１〜１３のいずれか１項において、前記縦溝１０は少なくともアウトソール３に形成され、前記縦溝１０の後方において前記アウトソール３に後縦溝１０Ｂが形成され、前記２つの縦溝１０，１０Ｂが互いに前後方向に連なっている、シューソール。
【国際調査報告】
2018193489.tif 000018
2018193489.tif 000019
2018193489.tif 000020
2018193489.tif 000021